(57)【要約】【課題】増幅器切替え時のスイッチ損失を抑制することにより、増幅器の出力電力や効率の低下を抑制した高周波増幅器を得る。【解決手段】複数の増幅器３の入力端子側に設けられた入力分配回路７と、複数の増幅器３の出力端子側に設けられた出力合成回路８と、複数の増幅器３に並設された冗長用増幅器４と、各増幅器３、４と入力分配回路７との間に挿入された入力側スイッチ１０１と、各増幅器３、４と出力合成回路８との間に挿入された出力側スイッチ１０２とを備えている。出力側スイッチ１０２は、出力合成回路８の入力端子ごとに１つずつ接続された出力合成回路側端子と、１つずつの出力合成回路側端子に対応して、各増幅器３、４の各出力端子に接続された２つずつの増幅器側端子とを有し、増幅器側端子は、各増幅器３、４の隣り合う増幅器の各出力端子に接続されている。【選択図】図１
2010161711.tif 000002
【特許請求の範囲】
【請求項１】
並設された複数の増幅器と、
前記複数の増幅器の入力端子側に設けられた入力分配回路と、
前記複数の増幅器の出力端子側に設けられた出力合成回路と、を備え、
前記複数の増幅器を並列合成させた高周波増幅器において、
並列合成される前記複数の増幅器に加えて並設された冗長用増幅器と、
前記複数の増幅器および前記冗長用増幅器と前記入力分配回路との間に挿入された入力側スイッチと、
前記複数の増幅器および前記冗長用増幅器と前記出力合成回路との間に挿入された出力側スイッチと、をさらに備え、
前記出力側スイッチは、前記出力合成回路の入力端子ごとに１つずつ接続された出力合成回路側端子と、前記１つずつの出力合成回路側端子に対応して、前記複数の増幅器および前記冗長用増幅器の各出力端子に接続された２つずつの増幅器側端子とを有し、
前記２つずつの増幅器側端子は、前記複数の増幅器および前記冗長用増幅器のうちの隣り合う増幅器の各出力端子に接続されていることを特徴とする高周波増幅器。
【請求項２】
並設された複数の増幅器と、
前記複数の増幅器の入力端子側に設けられた入力ハイブリッドと、
前記複数の増幅器の出力端子側に設けられた出力ハイブリッドと、を備え、
前記複数の増幅器を並列合成させた高周波増幅器において、
並列合成される前記複数の増幅器に加えて並設された冗長用増幅器と、
前記複数の増幅器および前記冗長用増幅器と前記入力ハイブリッドとの間に挿入された入力側スイッチと、
前記複数の増幅器および前記冗長用増幅器と前記出力ハイブリッドとの間に挿入された出力側スイッチと、をさらに備え、
前記出力側スイッチは、前記出力ハイブリッドの入力端子ごとに１つずつ接続された出力ハイブリッド側端子と、前記１つずつの出力ハイブリッド側端子に対応して、前記複数の増幅器および前記冗長用増幅器の各出力端子に接続された２つずつの増幅器側端子とを有し、
前記２つずつの増幅器側端子は、前記複数の増幅器および前記冗長用増幅器のうちの隣り合う増幅器の各出力端子に接続されていることを特徴とする高周波増幅器。
【請求項３】
前記入力分配回路は、デジタル回路により構成され、
前記入力分配回路の出力側に挿入されたＤＡコンバータおよび周波数変換器を備えたことを特徴とする請求項１に記載の高周波増幅器。
【請求項４】
前記入力ハイブリッドは、デジタル回路により構成され、
前記入力ハイブリッドの出力側に挿入されたＤＡコンバータおよび周波数変換器を備えたことを特徴とする請求項２に記載の高周波増幅器。
【請求項５】
前記入力側スイッチは、デジタル回路により構成され、
前記ＤＡコンバータおよび前記周波数変換器は、前記入力側スイッチの出力側に挿入されたことを特徴とする請求項３または請求項４に記載の高周波増幅器。
【請求項６】
前記複数の増幅器および前記冗長用増幅器の入力側に挿入された振幅位相調整手段を備え、
前記振幅位相調整手段は、前記複数の増幅器および前記冗長用増幅器のそれぞれに入力される高周波信号の振幅および位相が同じになるように、前記高周波信号の振幅および位相を調整することを特徴とする請求項１から請求項５までのいずれか１項に記載の高周波増幅器。
【請求項７】
前記ＤＡコンバータの入力側に挿入された振幅位相調整手段を備え、
前記振幅位相調整手段は、前記複数の増幅器および前記冗長用増幅器のそれぞれに入力される高周波信号の振幅および位相が同じになるように、前記ＤＡコンバータに入力されるベースバンド信号の振幅および位相を調整することを特徴とする請求項３から請求項５までのいずれか１項に記載の高周波増幅器。
【請求項８】
前記複数の増幅器のそれぞれの故障を検知するための故障検知手段を備えたことを特徴とする請求項１から請求項７までのいずれか１項に記載の高周波増幅器。
【請求項９】
前記入力側スイッチおよび前記出力側スイッチを制御する制御回路を備え、
前記制御回路は、前記故障検知手段から得られた故障情報に応答して、前記入力側スイッチおよび前記出力側スイッチの接続対象を、前記複数の増幅器のうちの故障増幅器から、前記冗長用増幅器に切替えることを特徴とする請求項８に記載の高周波増幅器。
【請求項１０】
前記入力側スイッチおよび前記出力側スイッチと前記振幅位相調整手段とを制御する制御回路を備え、
前記制御回路は、前記故障検知手段から得られた故障情報に応答して、
前記入力側スイッチおよび前記出力側スイッチの接続対象を、前記複数の増幅器のうちの故障増幅器から、前記冗長用増幅器に切替えるとともに、
前記複数の増幅器および前記冗長用増幅器のそれぞれに入力される高周波信号の振幅および位相が同じになるように、前記振幅位相調整手段を制御することを特徴とする請求項６に記載の高周波増幅器。
【発明の詳細な説明】
【技術分野】
【０００１】
この発明は、複数の増幅器が並列合成された高周波増幅器に関するものである。
【背景技術】
【０００２】
従来から、高周波増幅器においては、高出力化を目的として、複数の増幅器が並列合成されている。また、複数の増幅器を並列合成する際には、入力側および出力側の分配合成回路としてハイブリッド構成を用い、２合成の場合にはバランス形増幅器を形成し、４合成以上の場合にはマルチポート増幅器を形成し、高出力化を図っている。
【０００３】
さらに、信頼性を確保するための観点から、特に衛星搭載用や基地局用の高周波増幅器の場合には、並設された複数の増幅器の故障に対処するための冗長システムが提案されている（たとえば、特許文献１、特許文献２参照）。
【０００４】
たとえば、特許文献１に記載の高周波増幅器では、マルチポート増幅器において通常使用する複数の増幅器の外に冗長用増幅器を設け、入出力の電力結合器と各増幅器との間に４端子切替えスイッチを設けることで、冗長性を実現している。
【０００５】
また、特許文献２に記載の高周波増幅器では、マルチポート増幅器を構成する複数の増幅器自体を複数の個別増幅器の並列合成で実現し、通常動作時に、あらかじめ個別増幅器のうちのいくつかの電源をオフしておき、他の個別増幅器のうちのいずれかが故障したときに、故障した増幅器の代わりに、あらかじめ電源をオフしていた増幅器を使用することにより冗長性を得ている。
【先行技術文献】
【特許文献】
【０００６】
【特許文献１】特開平４−３３２２０９号公報、図１、図６
【特許文献２】特開平７−１３１２６５号公報、図１
【発明の概要】
【発明が解決しようとする課題】
【０００７】
従来の高周波増幅器では、特許文献１の場合には、増幅器を切替えるために設けられた４端子切替えスイッチの構成において、４端子スイッチを通過するために、必ず２つのスイッチを通過する必要があり、スイッチの損失が大きいという課題があった。特に、増幅器の出力側に設けるスイッチに４端子スイッチを用いた場合には、スイッチの損失により、増幅器の出力電力や効率が低下するという課題があった。
また、故障した増幅器と冗長用増幅器との特性ばらつきに起因して、増幅器を切替えた際に発生する振幅および位相偏差により、複数の増幅器の合成効率が低下して、出力電力および効率が低下するという課題があった。
【０００８】
また、特許文献２の場合には、通常動作時に、複数の増幅器を構成する個別増幅器のうち、いくつかの個別増幅器をあらかじめ電源をオフしておくので、オフした増幅器が回路中に存在することで、出力電力および効率が低下するという課題があった。
また、複数の増幅器の間の振幅および位相に差異が発生することから、合成効率が低下して、出力電力および効率がさらに低下するという課題があった。
【０００９】
この発明は、上記のような課題を解決するためになされたものであり、増幅器切替え時のスイッチ損失を抑制することにより、増幅器の出力電力や効率の低下を抑制した高周波増幅器を得ることを目的とする。
【課題を解決するための手段】
【００１０】
この発明による高周波増幅器は、並設された複数の増幅器と、複数の増幅器の入力端子側に設けられた入力分配回路と、複数の増幅器の出力端子側に設けられた出力合成回路と、を備え、複数の増幅器を並列合成させた高周波増幅器において、並列合成される複数の増幅器に加えて並設された冗長用増幅器と、複数の増幅器および冗長用増幅器と入力分配回路との間に挿入された入力側スイッチと、複数の増幅器および冗長用増幅器と出力合成回路との間に挿入された出力側スイッチと、をさらに備え、出力側スイッチは、出力合成回路の入力端子ごとに１つずつ接続された出力合成回路側端子と、１つずつの出力合成回路側端子に対応して、複数の増幅器および冗長用増幅器の各出力端子に接続された２つずつの増幅器側端子とを有し、２つずつの増幅器側端子は、複数の増幅器および冗長用増幅器のうちの隣り合う増幅器の各出力端子に接続されているものである。
【発明の効果】
【００１１】
この発明によれば、増幅器切替え時のスイッチ損失を抑制し、増幅器の出力電力や効率の低下を抑制することができる。
【図面の簡単な説明】
【００１２】
【図１】この発明の実施の形態１に係る高周波増幅器を示す回路ブロック図である。
【図２】この発明の実施の形態２に係る高周波増幅器を示す回路ブロック図である。
【図３】この発明の実施の形態３に係る高周波増幅器を示す回路ブロック図である。
【図４】この発明の実施の形態４に係る高周波増幅器を示す回路ブロック図である。
【図５】この発明の実施の形態５に係る高周波増幅器を示す回路ブロック図である。
【図６】この発明の実施の形態６に係る高周波増幅器を示す回路ブロック図である。
【図７】この発明の実施の形態７に係る高周波増幅器を示す回路ブロック図である。
【図８】この発明の実施の形態８に係る高周波増幅器を示す回路ブロック図である。
【図９】この発明の実施の形態９に係る高周波増幅器を示す回路ブロック図である。
【図１０】この発明の実施の形態１０に係る高周波増幅器を示す回路ブロック図である。
【図１１】この発明の実施の形態１１に係る高周波増幅器を示す回路ブロック図である。
【図１２】この発明の実施の形態１２に係る高周波増幅器を示す回路ブロック図である。
【図１３】この発明の実施の形態１３に係る高周波増幅器を示す回路ブロック図である。
【図１４】この発明の実施の形態１４に係る高周波増幅器を示す回路ブロック図である。
【図１５】この発明の実施の形態１５に係る高周波増幅器を示す回路ブロック図である。
【図１６】この発明の実施の形態１６に係る高周波増幅器を示す回路ブロック図である。
【図１７】この発明の実施の形態１７に係る高周波増幅器を示す回路ブロック図である。
【発明を実施するための形態】
【００１３】
実施の形態１．
図１はこの発明の実施の形態１に係る高周波増幅器を示す回路ブロック図である。
図１において、高周波増幅器は、複数系統（＃１〜＃Ｎ）の入力端子１および出力端子２と、入力端子１と出力端子２との間に並列に設けられた複数の増幅器（＃１〜＃Ｎ）３と、複数の増幅器３に加えて並設された冗長用増幅器（＃Ｊ１）４と、並設された複数のスイッチ５からなる入力側スイッチ１０１と、並設された複数のスイッチ６からなる出力側スイッチ１０２と、入力分配回路７と、出力合成回路８とを備え、複数の増幅器３を並列合成する構成を有している。
【００１４】
冗長用増幅器４は、複数の増幅器３の下端部に設置されている。
入力分配回路７は、入力端子１に接続されるとともに、複数の増幅器３および冗長用増幅器４の入力端子側に設けられている。
出力合成回路８は、出力端子２に接続されるとともに、複数の増幅器３および冗長用増幅器４の出力端子側に設けられている。
【００１５】
入力側スイッチ１０１は、複数の増幅器３および冗長用増幅器４と入力分配回路７との間に挿入されている。
出力側スイッチ１０２、複数の増幅器３および冗長用増幅器４と出力合成回路８との間に挿入されている。
【００１６】
入力側スイッチ１０１および出力側スイッチ１０２を構成する複数のスイッチ５、６としては、たとえばＳＰＤＴ（Ｓｉｎｇｌｅ  Ｐｏｌｅ  Ｄｏｕｂｌｅ  Ｔｈｒｏｗ）スイッチが用いられる。以下、スイッチ５、６を「ＳＰＤＴスイッチ」という。
【００１７】
出力側スイッチ１０２は、出力合成回路８の入力端子ごとに１つずつ接続された出力合成回路側端子と、１つずつの出力合成回路側端子に対応して、複数の増幅器３および冗長用増幅器４の各出力端子に接続された２つずつの増幅器側端子とを有する。
【００１８】
出力側スイッチ１０２の２つずつの増幅器側端子は、複数の増幅器３および冗長用増幅器４のうちの隣り合う増幅器の各出力端子に接続されている。
なお、ここでは図示を省略するが、各増幅器３、４への電源供給を切替えるとともに、各スイッチ１０１、１０２を切替え動作させるための制御回路も備えている。
【００１９】
次に、図１に示したこの発明の実施の形態１による動作について説明する。
図１において、入力端子１から入力された高周波信号は、分配回路７により分配された後、入力側スイッチ１０１を介して複数の増幅器３に入力され、さらに、出力側スイッチ１０２を介して出力合成回路８に入力され、出力合成回路８により合成されて出力端子２から出力される。これにより、入力端子１から入力された高周波信号は、増幅されて出力端子２から出力される。
【００２０】
ここで、入力分配回路７と、複数の増幅器３および冗長用増幅器４との間に挿入された入力側スイッチ１０１は、入力分配回路７の出力側端子数と同じ数のＳＰＤＴスイッチ５を有しており、各ＳＰＤＴスイッチ５の１端子側は、入力分配回路７の出力端子に接続され、各ＳＰＤＴスイッチ５の２端子側は、各増幅器３、４の入力端子に接続されている。
【００２１】
また、複数の増幅器３および冗長用増幅器４と、出力合成回路８との間に挿入された出力側スイッチ１０２は、出力合成回路８の入力端子数と同じ数のＳＰＤＴスイッチ６を有しており、各ＳＰＤＴスイッチ６の１端子側は、出力合成回路８の入力端子に接続され、各ＳＰＤＴスイッチ６の２端子側は、各増幅器３、４の出力端子に接続されている。
【００２２】
通常動作時においては、入力側スイッチ１０１の各ＳＰＤＴスイッチ５は、それぞれ複数の増幅器３に接続され、出力側スイッチ１０２の各ＳＰＤＴスイッチ６は、それぞれ複数の増幅器３に接続されている。
したがって、通常動作時においては、入力側スイッチ１０１および出力側スイッチ１０２は、冗長用増幅器４には接続されておらず、複数の増幅器３の電源はオンされ、冗長用増幅器４の電源はオフされている。
【００２３】
一方、複数の増幅器３のうちで故障した増幅器が発生した場合には、故障した増幅器の電源をオフして、冗長用増幅器４の電源をオンし、入力側スイッチ１０１および出力側スイッチ１０２は、故障した増幅器を切り離して、冗長用増幅器４に切替え接続する。
具体的には、入力側および出力側のＳＰＤＴスイッチ５、６が接続する増幅器を１つずつずらすように切替えることにより、高周波増幅器の冗長性を実現することができる。
【００２４】
このとき、出力側スイッチ１０２は、ＳＰＤＴスイッチ６により構成されているので、接続される経路に直列に挿入されるＳＰＤＴスイッチ６は１つのみとなり、損失を小さく抑制することができる。
これにより、出力側スイッチ１０２が低損失となるので、より高出力かつ高効率の動作が可能な高周波増幅器を実現することができる。
【００２５】
なお、図１においては、出力側スイッチ１０２（ＳＰＤＴスイッチ６）と同様に、入力側スイッチ１０１をＳＰＤＴスイッチ５で構成したが、入力側スイッチ１０１をＳＰＤＴスイッチ５で構成する必然性はなく、上記切替え動作が可能なスイッチであれば、任意のスイッチを用いることができ、上記高出力かつ高効率の動作を実現することができる。
【００２６】
ただし、出力側スイッチ１０２と同様に、入力側スイッチ１０１をＳＰＤＴスイッチ５で構成した場合には、入力側スイッチ１０１の損失も小さくなり、高周波増幅器はさらに高効率かつ高利得な特性を実現することができる。
【００２７】
また、図１においては、冗長用増幅器４を複数の増幅器３の下端部に設けたが、冗長用増幅器４の位置は、これに限定されることはなく、たとえば複数の増幅器３の中間位置または上端部などの、任意の位置に設けてもよい。
特に、冗長用増幅器４を複数の増幅器３の中心位置に設けた場合には、放熱性が最も向上するので、動作温度を低く設定することができ、さらに高出力で高効率かつ高利得の特性を実現することができる。
【００２８】
実施の形態２．
なお、上記実施の形態１（図１）では、単一の冗長用増幅器４を設けたが、図２のように、複数の冗長用増幅器（＃Ｊ１、＃Ｊ２）４を設けてもよい。
図２はこの発明の実施の形態２に係る高周波増幅器を示す回路ブロック図であり、前述（図１参照）と同様のものについては、前述と同一符号を付して詳述を省略する。
【００２９】
図２において、冗長用増幅器４は、複数の増幅器３の下端部（＃Ｊ２）のみならず、上端部（＃Ｊ１）にも設置されている。
この場合、冗長用増幅器４の設置数のみが前述（図１参照）と異なる。なお、冗長用増幅器４の設置数は、２個に限らず、任意数だけ設置可能である。
【００３０】
図２の構成は、図１と比較して冗長用増幅器４の数が複数である点のみが異なるので、この発明の実施の形態２によれば、前述（図１）と同様の効果を奏する。
また、この場合、冗長用増幅器４の数が複数であることから、冗長性をさらに高めることが可能である。
たとえば、複数の増幅器３の数を「Ｎ」、冗長用増幅器４の数を「Ｍ」とした場合、冗長用増幅器４は、複数の増幅器３のうちのＭ／Ｎ個の増幅器ごとに存在することになるので、その分だけ冗長性が増すことになる。
【００３１】
また、冗長性増幅器４の位置については、複数の増幅器３の間にできるだけ等間隔に配置することにより、放熱性も向上するので、動作温度を低くすることができ、さらに高出力で高効率かつ高利得の特性を実現することができる。
さらに、この場合、複数の増幅器３のいずれかが故障した際に、入力側出力スイッチ１０１および出力側スイッチ１０２の切替え回数を少なくすることができ、切替え時間を短縮できるとともに、スイッチの信頼性を高めることができる。
【００３２】
実施の形態３．
なお、上記実施の形態１、２（図１、図２）では、入力分配回路７および出力合成回路８を用いたが、図３のように、入力ハイブリッドマトリクス（ＩＨＭ）９および出力ハイブリッドマトリクス（ＯＨＭ）１０を用いてもよい。
図３はこの発明の実施の形態３に係る高周波増幅器を示す回路図ブロックであり、前述（図１参照）と同様のものについては、前述と同一符号を付して詳述を省略する。
【００３３】
図３において、入力端子１と入力側スイッチ１０１との間には、入力ハイブリッドマトリクス９が挿入され、出力端子２と出力側スイッチ１０２との間には、出力ハイブリッドマトリクス１０が挿入されている。
【００３４】
図３の構成は、図１と比較して、入力分配回路７および出力合成回路８の代わりに、入力ハイブリッドマトリクス９および出力ハイブリッドマトリクス１０を用いた点のみが異なるので、この発明の実施の形態３によれば、前述（図１）と同様の効果が得られる。
【００３５】
すなわち、複数の増幅器３（冗長用増幅器４）を同振幅および同位相で並列分配合成する構成（図１）から、図３のように、各ハイブリッドマトリクス９、１０で分配合成する構成（マルチポート増幅器）に変更しても、前述と同様の効果を奏する。
また、マルチポート増幅器の冗長性および低反射特性といった特性に影響なく、図１の高周波増幅器と同様の効果を奏する。
【００３６】
実施の形態４．
なお、上記実施の形態３（図３）では、単一の冗長用増幅器４を設けたが、図４のように、複数の冗長用増幅器（＃Ｊ１、＃Ｊ２）４を設けてもよい。
図４はこの発明の実施の形態４に係る高周波増幅器を示す回路ブロック図であり、前述（図２、図３参照）と同様のものについては、前述と同一符号を付して詳述を省略する。
【００３７】
図４において、冗長用増幅器４は、複数の増幅器３の下端部（＃Ｊ２）のみならず、上端部（＃Ｊ１）にも設置されている。
この場合、冗長用増幅器４の設置数のみが前述（図３参照）と異なる。
【００３８】
また、図４の構成は、前述の実施の形態２（図２）と比較して、入力分配回路７の代わりに入力ハイブリッドマトリクス９を用い、出力合成回路８の代わりに出力ハイブリッドマトリクス１０を用いた点のみが異なり、複数の同振幅および同位相で並列分配合成する高周波増幅器から、各ハイブリッドマトリクス９、１０で分配合成するマルチポート増幅器に変更された点のみが異なる。
なお、冗長用増幅器４の設置数は、前述の通り、２個に限らず、任意数だけ設置可能である。
【００３９】
図４の構成は、図３と比較して冗長用増幅器４の数が複数である点のみが異なり、また、図２と比較して各ハイブリッドマトリクス９、１０を用いた点のみが異なるので、この発明の実施の形態４によれば、前述（図２、図３）と同様の効果を奏する。
また、マルチポート増幅器の冗長性および低反射特性といった特性に影響なく、図２の高周波増幅器と同様の効果を奏する。
【００４０】
実施の形態５．
なお、上記実施の形態１（図１）では、アナログ回路からなる入力分配回路７を用いたが、図５のように、デジタル回路からなる入力分配回路７Ｄを用い、入力分配回路７Ｄの出力側に、ＤＡコンバータ（Ｄ／Ａ）１２および周波数変換器（Ｕ／Ｃ）１３を挿入してもよい。
【００４１】
図５はこの発明の実施の形態５に係る高周波増幅器を示す回路ブロック図であり、前述（図１参照）と同様のものについては、前述と同一符号を付して詳述を省略する。
図５において、デジタル回路で構成された入力分配回路７Ｄと入力側スイッチ１０１との間（入力分配回路７Ｄの出力側）には、ＤＡコンバータ１２および周波数変換器１３が挿入されている。
【００４２】
図５の構成は、前述（図１）と比較して、入力分配回路７の代わりにデジタル回路からなる入力分配回路７Ｄを用い、入力分配回路７Ｄと入力側スイッチ１０１の間の複数のパラレル経路ごとに、ＤＡコンバータ１２および周波数変換器１３が設けられた点のみが異なる。
【００４３】
また、前述（図１）の高周波増幅器では、入力信号は変調された高周波信号であり、高周波信号を高周波の入力分配回路７で分配していたが、図５の高周波増幅器では、デジタルのベースバンド信号の段階で、入力分配回路（デジタル回路）７Ｄによりベースバンド信号を各系統に分配した後、ＤＡコンバータ１２でデジタルベースバンド信号をアナログのベースバンド信号とし、さらに、周波数変換器１３により、変調された高周波信号に変換している。
【００４４】
したがって、この発明の実施の形態５（図５）によれば、前述（図１）の高周波増幅器と同様に、変調波信号を増幅することができ、前述と同様の効果を奏する。
また、高周波の入力分配回路７Ｄをデジタル回路で実現したので、上記効果に加えて、小型化が可能になる。
【００４５】
さらに、ＤＡコンバータ１２および周波数変換器１３は、図１の構成を適用する場合においても、高周波増幅器の入力側に設ける必要があるので、高周波増幅器を送信機として用いる場合に小型化が可能となる。
なお、図５では、単一（＃Ｊ１）の冗長用増幅器４のみを設けたが、図２のように、複数（＃Ｊ１、＃Ｊ２）の冗長用増幅器４を設けても同様の効果を奏する。
【００４６】
実施の形態６．
なお、上記実施の形態５（図５）では、図１内の入力分配回路７に代えて、デジタル回路からなる入力分配回路７Ｄを用いたが、図６のように、図３内の入力ハイブリッドマトリクス９に代えて、デジタル回路からなる入力ハイブリッドマトリクス９Ｄを用いてもよい。
【００４７】
図６はこの発明の実施の形態６に係る高周波増幅器を示す回路ブロック図であり、前述（図３、図５参照）と同様のものについては、前述と同一符号を付して詳述を省略する。
この場合、デジタル回路からなる入力ハイブリッドマトリクス９Ｄと、入力側スイッチ１０１との間（入力ハイブリッドマトリクス９Ｄの出力側）には、ＤＡコンバータ１２および周波数変換器１３が挿入されている。
【００４８】
前述（図３）の高周波増幅器では、入力信号が変調された高周波信号であり、高周波信号を高周波の入力ハイブリッドマトリクス９で分配したが、図６の高周波増幅器では、デジタルのベースバンド信号の段階で、デジタル回路の入力ハイブリッドマトリクス９Ｄによりベースバンド信号を各系統に分配した後、ＤＡコンバータ１２でデジタルベースバンド信号をアナログのベースバンド信号とし、さらに、周波数変換器１３により、変調された高周波信号に変換している。
【００４９】
図６の構成は、図３と比較して、入力ハイブリッドマトリクス９の代わりに入力ハイブリッドマトリクス（デジタル回路）９Ｄを用い、入力ハイブリッドマトリクス９Ｄと入力側スイッチ１０１の間の複数のパラレル経路ごとにＤＡコンバータ１２および周波数変換器１３をそれぞれ設けた点のみが異なるので、この発明の実施の形態６によれば、前述の実施の形態３（図３）と同様に、変調波信号を増幅することができ、同様の効果を奏する。
また、高周波の入力ハイブリッドマトリクス９Ｄをデジタル回路で実現したので、小型化が可能になる。
【００５０】
さらに、ＤＡコンバータ１２および周波数変換器１３は、図３の構成を適用する場合においても、入力側に設ける必要があるので、高周波増幅器を送信機として用いる場合に小型化が可能となる。
なお、図６においては、単一（＃Ｊ１）の冗長用増幅器４を用いたが、図４のように、複数（＃Ｊ１、＃Ｊ２）の冗長用増幅器４を設けても同様の効果を奏する。
【００５１】
実施の形態７．
なお、上記実施の形態５、６（図５、図６）では、入力分配回路７Ｄまたは入力ハイブリッドマトリクス９Ｄのみをデジタル回路で構成したが、図７のように、入力側スイッチ１０１Ｄを含めてデジタル回路で構成し、入力側スイッチ１０１Ｄの出力側にＤＡコンバータ１２および周波数変換器１３を挿入してもよい。
【００５２】
図７はこの発明の実施の形態７に係る高周波増幅器を示す回路ブロック図であり、前述（図６参照）と同様のものについては、前述と同一符号を付して詳述を省略する。
なお、図７では、図６の構成にデジタル回路からなる入力側スイッチ１０１Ｄを適用したが、図５の構成にも適用可能なことは言うまでもない。
【００５３】
図７において、デジタル回路で構成された入力ハイブリッドマトリクス９Ｄの出力側には、デジタル回路で構成された入力側スイッチ１０１Ｄが設けられており、入力側スイッチ１０１Ｄの出力側には、ＤＡコンバータ１２および周波数変換器１３が挿入されている。
【００５４】
図７の構成は、図６と比較して、アナログスイッチからなる入力側スイッチ１０１に代わりに、デジタル回路で構成された入力側スイッチ１０１Ｄを用い、入力側スイッチ１０１Ｄと増幅器３との間（入力側スイッチ１０１Ｄの出力側）にＤＡコンバータ１２および周波数変換器１３が挿入された点のみが異なるので、この発明の実施の形態７によれば、前述（図６）と同様の効果を奏する。
【００５５】
また、アナログの入力側スイッチ１０１に代えて、デジタル回路からなる入力側スイッチ１０１Ｄを用いたので、小型化が可能である。
さらに、図７内の各ハイブリッドマトリクス９Ｄ、１０に代えて、図５内の入力分配回路７Ｄおよび出力合成回路８を用いた場合にも同様の効果を奏する。
なお、図７においては、単一（＃Ｊ１）の冗長用増幅器４を用いたが、図４のように、複数（＃Ｊ１、＃Ｊ２）の冗長用増幅器４を設けても同様の効果を奏する。
【００５６】
実施の形態８．
なお、上記実施の形態１〜７（図１〜図７）では、特に言及しなかったが、複数の増幅器３および冗長用増幅器４に入力される高周波信号の振幅および位相が同じになるように調整するために、図８のように、複数の増幅器３および冗長用増幅器４の入力側に、振幅位相調整手段１６を挿入してもよい。
【００５７】
図８はこの発明の実施の形態８に係る高周波増幅器を示す回路ブロック図であり、前述（図３参照）と同様のものについては、前述と同一符号を付して詳述を省略する。
なお、図８では、図３の構成に振幅位相調整手段１６を適用したが、他の構成にも適用可能なことは言うまでもない。
【００５８】
図８において、振幅位相調整手段１６は、複数の増幅器３および冗長用増幅器４の入力側に挿入されており、複数の増幅器３および冗長用増幅器４に入力される高周波信号の振幅および位相が同じになるように調整する。
【００５９】
図８の構成は、図３と比較して、複数の増幅器３および冗長用増幅器４の入力側に、高周波信号の振幅および位相を調整するための振幅位相調整手段１６が挿入されたことのみが異なるので、この発明の実施の形態８によれば、前述（図３）と同様の効果を奏する。
【００６０】
また、この発明の実施の形態８によれば、各増幅器３、４を通過する振幅および位相が同じになるように、振幅位相調整手段１６を設定するので、各増幅器３、４の合成効率を高めて、高周波増幅器の出力電力、効率および利得を高くすることができる。
【００６１】
また、あらかじめ各増幅器３、６の振幅および位相を同じにするように振幅位相調整手段１６を設定しておくことにより、複数の増幅器３のいずれかが故障して、故障した増幅器と冗長用増幅器４とを切替えた際に、各増幅器３、４を通過する振幅および位相が同じになるので、各増幅器３、４の合成効率を高めて、高周波増幅器の出力電力、効率および利得を高くすることができる。
さらに、マルチポート増幅器の各ポート間のアイソレーション特性を向上させることができる。これにより、各ポートに異なる変調信号が入力された場合に、他のポートからの信号による干渉を低減することができ、信号の品質を劣化させずに増幅することが可能となる。
【００６２】
なお、図８では、各増幅器３、４の入力側の直前に振幅位相調整手段１６を設けたが、入力側スイッチ１０１の入力側に設けてもよい。
この場合、複数の増幅器３のいずれかが故障して、故障した増幅器と冗長用増幅器４とを切替えた際に、切替えが発生する系統において、切替える前後での振幅および位相が同じになるように振幅位相調整手段１６の設定を変更することにより、各増幅器の合成効率を高めて、高周波増幅器の出力電力、効率および利得を高くすることができる。
【００６３】
なお、図８では、各ハイブリッドマトリクス９、１０を用いたマルチポート増幅器に対して振幅位相調整手段１６を適用したが、他の構成にも適用可能であり、たとえば図１、図２のように、入出力回路として入力分配回路７および出力合成回路８を用いた場合にも同様の効果を奏する。
また、図８では、単一（＃Ｊ１）の冗長用増幅器４を用いたが、図２、図４のように、複数（＃Ｊ１、＃Ｊ２）の冗長用増幅器４を用いても、同様の効果を奏することが可能である。
【００６４】
実施の形態９．
なお、上記実施の形態８（図８）では、図３の構成に振幅位相調整手段１６を適用したが、図９のように、図６の構成に振幅位相調整手段１６を適用してもよい。
図９はこの発明の実施の形態９に係る高周波増幅器を示す回路ブロック図であり、前述（図６、図８参照）と同様のものについては、前述と同一符号を付して詳述を省略する。
【００６５】
図９において、デジタル回路で構成された入力ハイブリッドマトリクス９Ｄの出力側には、ＤＡコンバータ１２および周波数変換器１３が挿入されており、各増幅器３、４の入力側には、高周波信号の振幅および位相を調整する振幅位相調整手段１６が挿入されている。
【００６６】
図９の構成は、図６と比較して、複数の増幅器３および冗長用増幅器４の入力側に振幅位相調整手段１６が挿入されたことのみが異なるので、この発明の実施の形態９によれば、前述（図６）と同様の効果を奏する。
【００６７】
また、高周波信号の振幅位相調整手段１６により、各増幅器３、４を通過する高周波信号の振幅および位相が同じになるように調整されるので、各増幅器３、４の合成効率を高めて、高周波増幅器の出力電力、効率および利得を高くすることができる。
【００６８】
また、あらかじめ各増幅器３、４の振幅および位相を同じにするように振幅位相調整手段１６を設定しておくことにより、増幅器３のいずれかが故障して、故障した増幅器と冗長用増幅器４とを切替えた場合にも、各増幅器３、４を通過する高周波信号の振幅および位相が同じになるように調整するので、各増幅器３、４の合成効率を高めて、高周波増幅器の出力電力、効率および利得を高くすることができる。
さらに、マルチポート増幅器の各ポート間のアイソレーション特性を向上させることができる。これにより、各ポートに異なる変調信号が入力された場合に、他のポートからの信号による干渉を低減することができ、信号の品質を劣化させずに増幅することが可能となる。
【００６９】
なお、図９では、各ハイブリッドマトリクス９Ｄ、１０を用いたマルチポート増幅器（図６）に振幅位相調整手段１６を適用したが、図５のように、入力分配回路７Ｄおよび出力合成回路８を用いた高周波増幅器に振幅位相調整手段１６を適用しても、同様の効果を奏することができる。
また、図９では、単一（＃Ｊ１）の冗長用増幅器４を用いたが、図２、図４のように、複数（＃Ｊ１、＃Ｊ２）の冗長用増幅器４を用いても、同様の効果を奏することが可能である。
【００７０】
実施の形態１０．
なお、上記実施の形態９（図９）では、高周波信号の振幅位相調整手段１６を各増幅器３、４の入力側に挿入したが、図１０のように、ＤＡコンバータ１２の入力側にベースバンド信号の振幅位相調整手段１７を挿入してもよい。
図１０はこの発明の実施の形態１０に係る高周波増幅器を示す回路ブロック図であり、前述（図９参照）と同様のものについては、前述と同一符号を付して詳述を省略する。
【００７１】
図１０において、デジタル回路で構成された入力ハイブリッドマトリクス９Ｄと、ＤＡコンバータ１２との間（ＤＡコンバータ１２の入力側）には、振幅位相調整手段１７が挿入されている。
振幅位相調整手段１７は、各増幅器３、４を通過する高周波信号の振幅および位相が同じになるように、ＤＡコンバータ１２に入力されるベースバンド信号の振幅および位相を調整する。
【００７２】
図１０の構成は、図９と比較して、高周波信号の振幅位相調整手段１６の代わりに、デジタルのベースバンド信号の振幅位相調整手段１７を設けたことのみが異なるので、この発明の実施の形態１０によれば、前述（図９）と同様の効果を奏する。
【００７３】
また、振幅位相調整手段１６の代わりに、デジタルのベースバンド信号の振幅および位相を調整する手段１７を用いているので、高周波増幅器の小型化、および高周波増幅器を用いた送信機の小型化を実現することができる。
さらに、マルチポート増幅器の各ポート間のアイソレーション特性を向上させることができる。これにより、各ポートに異なる変調信号が入力された場合に、他のポートからの信号による干渉を低減することができ、信号の品質を劣化させずに増幅することが可能となる。
【００７４】
なお、図１０では、各ハイブリッドマトリクス９Ｄ、１０を用いたマルチポート増幅器に振幅位相調整手段１７を適用したが、図５のように、入力分配回路７Ｄおよび出力合成回路８を用いた高周波増幅器に振幅位相調整手段１７を適用しても、同様の効果を奏することができる。
また、図１０では、単一（＃Ｊ１）の冗長用増幅器４を用いたが、図２、図４のように、複数（＃Ｊ１、＃Ｊ２）の冗長用増幅器４を用いても、同様の効果を奏することが可能である。
【００７５】
実施の形態１１．
なお、上記実施の形態１０（図１０）では、図６の構成に振幅位相調整手段１７を適用したが、図１１のように、図７の構成に振幅位相調整手段１７を適用してもよい。
図１１はこの発明の実施の形態１１に係る高周波増幅器を示す回路ブロック図であり、前述（図７、図１０参照）と同様のものについては、前述と同一符号を付して詳述を省略する。
【００７６】
図１１において、デジタル回路で構成された入力ハイブリッドマトリクス９Ｄの出力側には、デジタル回路で構成された入力側スイッチ１０１Ｄが設けられており、入力側スイッチ１０１Ｄの出力側には、振幅位相調整手段１７を介して、ＤＡコンバータ１２および周波数変換器１３が挿入されている。
【００７７】
図１１の構成は、図７と比較して、入力側スイッチ１０１ＤとＤＡコンバータ１２との間（ＤＡコンバータ１２の入力側）に、デジタルのベースバンド信号の振幅および位相を調整する振幅位相調整手段１７が挿入された点のみが異なるので、この発明の実施の形態１１によれば、前述（図７）と同様の効果を奏する。
【００７８】
また、ベースバンド信号の振幅位相調整手段１７により、各増幅器３、４を通過する高周波信号の振幅および位相が同じになるように設定されるので、各増幅器３、４の合成効率を高めて、高周波増幅器の出力電力、効率および利得を高くすることができる。
また、あらかじめ各増幅器３、４の振幅および位相を同じにするようにベースバンド信号の振幅位相調整手段１７を設定しておくことにより、増幅器３のいずれかが故障して、故障した増幅器と冗長用増幅器４とを切替えた際にも、各増幅器３、４を通過する振幅および位相が同じになるので、各増幅器３、４の合成効率を高めて、高周波増幅器の出力電力、効率および利得を高くすることができる。
さらに、マルチポート増幅器の各ポート間のアイソレーション特性を向上させることができる。これにより、各ポートに異なる変調信号が入力された場合に、他のポートからの信号による干渉を低減することができ、信号の品質を劣化させずに増幅することが可能となる。
【００７９】
なお、図１１では、各ハイブリッドマトリクス９Ｄ、１０を用いたマルチポート増幅器に振幅位相調整手段１７を適用したが、図５のように、入力分配回路７Ｄおよび出力合成回路８を用いた高周波増幅器に振幅位相調整手段１７を適用しても同様の効果を奏することができる。
また、図１１では、単一（＃Ｊ１）の冗長用増幅器４を用いたが、図２、図４のように、複数（＃Ｊ１、＃Ｊ２）の冗長用増幅器４を用いても、同様の効果を奏することが可能である。
【００８０】
実施の形態１２．
なお、上記実施の形態１〜１１（図１〜図１１）では、特に言及しなかったが、図１２のように、複数の増幅器３のそれぞれの故障を検知するための故障検知手段１８と、故障検知手段１８から得られる故障情報に応答して、入力側スイッチ１０１および出力側スイッチ１０２を制御する制御回路１９とを設けてもよい。
【００８１】
図１２はこの発明の実施の形態１２に係る高周波増幅器を示す回路ブロック図であり、前述（図３参照）と同様のものについては、前述と同一符号を付して詳述を省略する。
なお、図１２では、図３の構成に故障検知手段１８を適用したが、他の構成にも適用可能なことは言うまでもない。
【００８２】
図１２において、各増幅器３、４には、各増幅器の故障を検知する故障検知手段１８が設けられており、故障検知手段１８からの故障情報は、制御回路１９に入力されている。
制御回路１９は、故障情報に応答して、入力側スイッチ１０１および出力側スイッチ１０２を切替え制御し、入力側スイッチ１０１および出力側スイッチ１０２の接続対象を、複数の増幅器３のうちの故障増幅器から冗長用増幅器４に切替える。
【００８３】
図１２の構成は、図３と比較して、各増幅器３、４の故障を検知する故障検知手段１８と、制御回路１９とが追加された点のみが異なるので、この発明の実施の形態１２によれば、前述（図３）と同様の効果を奏する。
【００８４】
また、制御回路１９は、故障検知手段１８から得られた故障情報に応答して、入力側スイッチ１０１および出力側スイッチ１０２を切替え制御し、各スイッチ１０１、１０２により接続される増幅器を、複数の増幅器３のうちの故障した増幅器から冗長用増幅器４に自動的に切替えることが可能である。
【００８５】
なお、故障検知手段１８としては、公知の判定手段（図示せず）が適用可能であり、たとえば、各増幅器３の電流値をモニタし、電流検出値が正常値（正常範囲）から逸脱した場合に、故障状態であると判定する手段や、各増幅器３の出力電力値をモニタし、電圧検出値が正常値（正常範囲）から逸脱した場合に、故障状態であると判定する手段などが適用され得る。
【００８６】
図１２では、各ハイブリッドマトリクス９、１０を用いたマルチポート増幅器（図３）に対して故障検知手段１８および制御回路１９を適用したが、図１のように、入力分配回路７および出力合成回路８を用いた高周波増幅器にも適用可能である。
また、図１２では、単一（＃Ｊ１）の冗長用増幅器４を用いたが、図２、図４のように、複数（＃Ｊ１、＃Ｊ２）の冗長用増幅器４を用いても、同様の効果を奏することが可能である。
【００８７】
実施の形態１３．
なお、上記実施の形態１２（図１２）では、図３の構成に故障検知手段１８および制御回路１９を適用したが、図１３のように、図６の構成に故障検知手段１８および制御回路１９を適用してもよい。
図１３はこの発明の実施の形態１３に係る高周波増幅器を示す回路ブロック図であり、前述（図６、図１２参照）と同様のものについては、前述と同一符号を付して詳述を省略する。
【００８８】
図１３の構成は、図６と比較して、各増幅器３の故障を検知する故障検知手段１８と、故障情報に応答して各スイッチ１０１、１０２を切替え制御する制御回路１９とが追加された点のみが異なるので、この発明の実施の形態１３によれば、前述（図６）と同様の効果を奏する。
また、制御回路１９は、故障検知手段１８から得られた故障情報に応答して、複数の増幅器３のうちの故障した増幅器から冗長用増幅器４に切替えるように、各スイッチ１０１、１０２を自動的に切替え制御することが可能である。
【００８９】
なお、図１３では、各ハイブリッドマトリクス９Ｄ、１０を用いたマルチポート増幅器に故障検知手段１８を適用したが、図５のように、入力分配回路７Ｄおよび出力合成回路８を用いた高周波増幅器に故障検知手段１８を適用しても、同様の効果を奏することができる。
また、図１３では、単一（＃Ｊ１）の冗長用増幅器４を用いたが、図２、図４のように、複数（＃Ｊ１、＃Ｊ２）の冗長用増幅器４を用いても、同様の効果を奏することが可能である。
【００９０】
実施の形態１４．
なお、上記実施の形態１３（図１３）では、図６の構成に故障検知手段１８および制御回路１９を適用したが、図１４のように、図７の構成に故障検知手段１８および制御回路１９を適用してもよい。
図１４はこの発明の実施の形態１４に係る高周波増幅器を示す回路ブロック図であり、前述（図７、図１３参照）と同様のものについては、前述と同一符号を付して詳述を省略する。
【００９１】
図１４の構成は、図７と比較して、各増幅器３の故障を検知する故障検知手段１８と、故障情報に応答して各スイッチ１０１Ｄ、１０２を切替え制御する制御回路１９とが追加された点のみが異なるので、この発明の実施の形態１４によれば、前述（図７）と同様の効果を奏する。
また、制御回路１９は、各増幅器３の故障検知手段１８から得られた故障情報に応答して、各スイッチ１０１Ｄ、１０２の接続対象を、複数の増幅器３のうちの故障した増幅器から冗長用増幅器４に自動的に切替えることが可能である。
【００９２】
なお、図１４では、各ハイブリッドマトリクスを用いたマルチポート増幅器に故障検知手段１８を適用したが、図５の構成に故障検知手段１８を適用しても、同様の効果を奏することができる。
また、図１４では、単一（＃Ｊ１）の冗長用増幅器４を用いたが、図２、図４のように、複数（＃Ｊ１、＃Ｊ２）の冗長用増幅器４を用いても、同様の効果を奏することが可能である。
【００９３】
実施の形態１５．
なお、上記実施の形態１２〜１４（図１２〜図１４）では、制御回路１９が各スイッチ１０１、１０１Ｄ、１０２のみを切替え制御したが、図８の構成（高周波信号の振幅位相調整手段１６を有する）に適用して、図１５のように、制御回路１９Ａが振幅位相調整手段１６を含めて切替え制御するように構成してもよい。
図１５はこの発明の実施の形態１５に係る高周波増幅器を示す回路ブロック図であり、前述（図８、図１２参照）と同様のものについては、前述と同一符号を付して詳述を省略する。
【００９４】
図１５の構成は、図８と比較して、各増幅器３の故障検知手段１８と、故障情報に応答して各スイッチ１０１、１０２および振幅位相調整手段１６を切替え制御する制御回路１９Ａとが追加された点のみが異なるので、この発明の実施の形態１５によれば、前述（図８）と同様の効果を奏する。
【００９５】
また、制御回路１９Ａは、故障検知手段１８から得られた故障情報に応答して、複数の増幅器３のうちの故障した増幅器から冗長用増幅器４に切替え接続する際に、各スイッチ１０１、１０２を切替えるとともに、各増幅器３、４での高周波信号の振幅および位相が同じになるように、振幅位相調整手段１６を制御する。
これにより、故障した増幅器と冗長用増幅器４とを切替えた際にも、各増幅器３、４を通過する高周波信号の振幅および位相を同じにすることができ、各増幅器３、４の合成効率を高めて、高周波増幅器の出力電力、効率および利得を高くすることができる。
さらに、マルチポート増幅器の各ポート間のアイソレーション特性を向上させることができる。これにより、各ポートに異なる変調信号が入力された場合に、他のポートからの信号による干渉を低減することができ、信号の品質を劣化させずに増幅することが可能となる。
【００９６】
なお、図１５では、各ハイブリッドマトリクス９、１０を用いたマルチポート増幅器に適用したが、図５のように、入力分配回路７Ｄおよび出力合成回路８を用いた高周波増幅器に故障検知手段１８を適用しても、同様の効果を奏することができる。
また、図１５では、単一（＃Ｊ１）の冗長用増幅器４を用いたが、図２、図４のように、複数（＃Ｊ１、＃Ｊ２）の冗長用増幅器４を用いても、同様の効果を奏することが可能である。
【００９７】
実施の形態１６．
なお、上記実施の形態１５（図１５）では、図８の構成に故障検知手段１８および制御回路１９Ａを適用したが、図１６のように、図９の構成に故障検知手段１８および制御回路１９Ａを適用してもよい。
図１６はこの発明の実施の形態１６に係る高周波増幅器を示す回路ブロック図であり、前述（図９、図１５参照）と同様のものについては、前述と同一符号を付して詳述を省略する。
【００９８】
図１６の構成は、図９と比較して、故障検知手段１８および制御回路１９Ａが追加された点のみが異なるので、この発明の実施の形態１６によれば、前述（図８）と同様の効果を奏する。
また、制御回路１９Ａは、故障検知手段１８からの故障情報に応答して、接続対象を故障した増幅器から冗長用増幅器４に切替える際に、各スイッチ１０１、１０２を切替えるとともに、各増幅器３、４を通過する高周波信号の振幅および位相が同じになるように、振幅位相調整手段１６を切替え制御する。
これにより、故障した増幅器と冗長用増幅器４とを切替えた際にも、各増幅器３、４を通過する高周波信号の振幅および位相が同じになるように調整することができ、各増幅器３、４の合成効率を高めて、高周波増幅器の出力電力、効率および利得を高くすることができる。
さらに、マルチポート増幅器の各ポート間のアイソレーション特性を向上させることができる。これにより、各ポートに異なる変調信号が入力された場合に、他のポートからの信号による干渉を低減することができ、信号の品質を劣化させずに増幅することが可能となる。
【００９９】
なお、図１６では、各ハイブリッドマトリクス９Ｄ、１０を用いたマルチポート増幅器に適用したが、図５のように、入力分配回路７Ｄおよび出力合成回路８を用いた高周波増幅器に故障検知手段１８を適用しても、同様の効果を奏することができる。
また、図１６では、単一（＃Ｊ１）の冗長用増幅器４を用いたが、図２、図４のように、複数（＃Ｊ１、＃Ｊ２）の冗長用増幅器４を用いても、同様の効果を奏することが可能である。
【０１００】
実施の形態１７．
なお、上記実施の形態１５、１６（図１５、図１６）では、制御回路１９Ａが各スイッチ１０１、１０２とともに振幅位相調整手段１６を切替え制御したが、図１１の構成（ベースバンド信号の振幅位相調整手段１７を有する）に適用して、図１７のように、制御回路１９Ｂが、各スイッチ１０１、１０２とともに振幅位相調整手段１７を切替え制御するように構成してもよい。
【０１０１】
図１７はこの発明の実施の形態１７に係る高周波増幅器を示す回路ブロック図であり、前述（図１１、図１５参照）と同様のものについては、前述と同一符号を付して詳述を省略する。
図１７の構成は、図１１と比較して、故障検知手段１８および制御回路１９Ｂが追加された点のみが異なるので、この発明の実施の形態１７によれば、前述（図１１）と同様の効果を奏する。
【０１０２】
また、制御回路１９Ｂは、故障検知手段１８からの故障情報に応答して、接続対象を故障した増幅器から冗長用増幅器４に切替える際に、各スイッチ１０１、１０２を自動的に切替えるとともに、各増幅器３、４での高周波信号の振幅および位相が同じになるように、ベースバンド信号の振幅位相調整手段１７を制御する。
これにより、故障した増幅器と冗長用増幅器４とを切替えた際にも、各増幅器３、４を通過する高周波信号の振幅および位相が同じになるように調整することができ、各増幅器３、４の合成効率を高めて、高周波増幅器の出力電力、効率および利得を高くすることができる。
さらに、マルチポート増幅器の各ポート間のアイソレーション特性を向上させることができる。これにより、各ポートに異なる変調信号が入力された場合に、他のポートからの信号による干渉を低減することができ、信号の品質を劣化させずに増幅することが可能となる。
【０１０３】
なお、図１７では、各ハイブリッドマトリクス９Ｄ、１０を用いたマルチポート増幅器に適用したが、図５のように、入力分配回路７Ｄおよび出力合成回路８を用いた高周波増幅器に故障検知手段１８を適用しても、同様の効果を奏することができる。
また、図１７では、単一（＃Ｊ１）の冗長用増幅器４を用いたが、図２、図４のように、複数（＃Ｊ１、＃Ｊ２）の冗長用増幅器４を用いても、同様の効果を奏することが可能である。
【符号の説明】
【０１０４】
１  入力端子、２  出力端子、３  複数の増幅器、４  冗長用増幅器、７、７Ｄ  入力分配回路、８  出力合成回路、９、９Ｄ  入力ハイブリッドマトリクス、１０  出力ハイブリッドマトリクス、１２  ＤＡコンバータ、１３  周波数変換器、１６、１７  振幅位相調整手段、１８  故障検知手段、１９、１９Ａ、１９Ｂ  制御回路、１０１、１０１Ｄ  入力側スイッチ、１０２  出力側スイッチ。
【図１】
2010161711.tif 000003
【図２】
2010161711.tif 000004
【図３】
2010161711.tif 000005
【図４】
2010161711.tif 000006
【図５】
2010161711.tif 000007
【図６】
2010161711.tif 000008
【図７】
2010161711.tif 000009
【図８】
2010161711.tif 000010
【図９】
2010161711.tif 000011
【図１０】
2010161711.tif 000012
【図１１】
2010161711.tif 000013
【図１２】
2010161711.tif 000014
【図１３】
2010161711.tif 000015
【図１４】
2010161711.tif 000016
【図１５】
2010161711.tif 000017
【図１６】
2010161711.tif 000018
【図１７】
2010161711.tif 000019